(57)【要約】【課題】  携帯通信端末において、ユーザへの未読のメッセージの存在を気づかせ、また受信メッセージに対する返信が実行されていないことを気づかせる。【解決手段】  文字メッセージを送受信できる無線通信端末において、未読の文字メッセージが存在する状態で、呼び出し着信が発生した場合、その未読の文字メッセージに関する情報に関連付けされた各無線通信端末に割り当てられた固有の識別番号情報（例えば、携帯電話の呼び出し電話番号等）と、その着信の発信元の呼び出し識別番号通知情報（例えば、携帯電話の呼び出し電話番号等）とが一致した場合に、通常の着信の報知パターンとは異なる別の報知パターンで通報することにより、ユーザに未読文字メッセージが存在し、その未読文字メッセージに関連した発信者からの着信を促すことができると共に、該当する未読文字メッセージをユーザに対してその内容を認識させることができる。【選択図】      図２
2006148725.tif 000002
【特許請求の範囲】
【請求項１】
文字メッセージを送受信可能な無線通信端末であって、音声着信に応答して、前記音声着信の送信元に関連する未読または未返信の文字メッセージが、メモリに存在する場合、前記未読文字メッセージの存在を報知する報知制御手段を含むことを特徴とする無線通信端末。
【請求項２】
前記報知制御手段は、前記未読または未返信の文字メッセージの存在を、通常の着信報知パターンとは異なる報知パターンにより報知する報知手段を有することを特徴とする請求項１記載の無線通信端末。
【請求項３】
前記報知制御手段は、前記未読または未返信の文字メッセージが複数存在する場合、時系列表示をなすことを特徴とする請求項１または２記載の無線通信端末。
【請求項４】
前記報知制御手段は、所定時間内の前記未読または未返信の文字メッセージを表示することを特徴とする請求項１または２記載の無線通信端末。
【請求項５】
前記報知制御手段は、最新の前記未読または未返信の文字メッセージを表示することを特徴とする請求項１または２記載の無線通信端末。
【請求項６】
前記報知制御手段は、前記未読または未返信の文字メッセージに関する情報の表示をなす表示手段を、更に有することを特徴とする請求項１〜５いずれか記載の無線通信端末。
【請求項７】
前記表示手段は、前記情報として、前記未読または未返信の文字メッセージの表題または（および）内容を表示することを特徴とする請求項６記載の無線通信端末。
【請求項８】
文字メッセージを送受信可能な無線通信端末であって、文字メッセージ着信に応答して、前記文字メッセージの送信元に関連する音声着信未応答状態の不在着信が、メモリに存在する場合、前記音声着信未応答状態の不在着信の存在を報知する報知制御手段を含むことを特徴とする無線通信端末。
【請求項９】
前記報知制御手段は、前記不在着信の存在を、通常の着信報知パターンとは異なる報知パターンにより報知する報知手段を有することを特徴とする請求項８記載の無線通信端末。
【請求項１０】
前記報知制御手段は、最新の前記不在着信の存在を報知することを特徴とする請求項９記載の無線通信端末。
【請求項１１】
文字メッセージを送受信可能な無線通信端末におけるメッセージ通知方法であって、音声着信に応答して、前記音声着信の送信元に関連する未読または未返信の文字メッセージが、メモリに存在する場合、前記未読文字メッセージの存在を報知する報知制御ステップを含むことを特徴とするメッセージ通知方法方法。
【請求項１２】
前記報知制御ステップは、前記未読または未返信の文字メッセージの存在を、通常の着信報知パターンとは異なる報知パターンにより報知する報知ステップを有することを特徴とする請求項１１記載のメッセージ通知方法。
【請求項１３】
前記報知制御ステップは、前記未読または未返信の文字メッセージが複数存在する場合、時系列表示をなすことを特徴とする請求項１１または１２記載のメッセージ通知方法。
【請求項１４】
前記報知制御ステップは、所定時間内の前記未読または未返信の文字メッセージを表示することを特徴とする請求項１１または１２記載のメッセージ通知方法。
【請求項１５】
前記報知制御ステップは、最新の前記未読または未返信の文字メッセージを表示することを特徴とする請求項１１または１２記載のメッセージ通知方法。
【請求項１６】
前記報知制御ステップは、前記未読または未返信の文字メッセージに関する情報の表示をなす表示ステップを、更に有することを特徴とする請求項１１〜１５いずれか記載のメッセージ通知方法。
【請求項１７】
前記表示ステップは、前記情報として、前記未読または未返信の文字メッセージの表題または（および）内容を表示することを特徴とする請求項１６記載のメッセージ通知方法。
【請求項１８】
文字メッセージを送受信可能な無線通信端末におけるメッセージ通知方法であって、文字メッセージ着信に応答して、前記文字メッセージの送信元に関連する音声着信未応答状態の不在着信が、メモリに存在する場合、前記音声着信未応答状態の不在着信の存在を報知する報知制御ステップを含むことを特徴とするメッセージ通知方法。
【請求項１９】
前記報知制御ステップは、前記不在着信の存在を、通常の着信報知パターンとは異なる報知パターンにより報知する報知ステップを有することを特徴とする請求項１８記載のメッセージ通知方法。
【請求項２０】
前記報知制御ステップは、最新の前記不在着信の存在を報知することを特徴とする請求項１９記載のメッセージ通知方法。
【請求項２１】
文字メッセージを送受信可能な無線通信端末におけるメッセージ通知方法をコンピュータにより実行させるためのプログラムであって、音声着信に応答して、前記音声着信の送信元に関連する未読または未返信の文字メッセージが、メモリに存在する場合、前記未読文字メッセージの存在を報知する報知制御処理を含むことを特徴とするプログラム。
【請求項２２】
文字メッセージを送受信可能な無線通信端末におけるメッセージ通知方法をコンピュータにより実行させるためのプログラムであって、文字メッセージ着信に応答して、前記文字メッセージの送信元に関連する音声着信未応答状態の不在着信が、メモリに存在する場合、前記音声着信未応答状態の不在着信の存在を報知する報知制御処理を含むことを特徴とするプログラム。
【請求項２３】
携帯電話機であることを特徴とする請求項１〜１０記載の無線通信端末。
【発明の詳細な説明】
【技術分野】
【０００１】
本発明は無線通信端末及びメッセージ通知方法並びにプログラムに関し、特に音声通信の他に、短い文字メッセージを送受信できるショートメッセージ機能や電子メール機能を有する無線通信端末及びメッセージ通知方法並びにプログラムに関するものである。
【背景技術】
【０００２】
携帯可能な無線通信端末として、携帯電話機が広く普及しており、この携帯電話機には、種々の機能が付加されるようになってきている。例えば、音声通信の他に、短い文字メッセージを送受信できるショートメッセージ機能や電子メール機能などがある。このような携帯電話機において、未読のショートメッセージや、未読の受信メールが存在した場合には、未読状態で保存されたままで、その受信をユーザが気づかないことになってしまう。また、このメールの送信者当事者にとって、そのメールについて内容を確認していない状態でいる可能性があるということが発生していた。
【０００３】
そこで、未読メールが存在している旨をユーザに報らせる機能を有する携帯電話機が、特許文献１に開示されている。すなわち、ユーザが電話をかけようとした時に、入力された電話番号と関連する未読メールが、メールサーバ内に存在している場合に、発信の前に、未読メールがある旨を、ユーザに対して報知するというものである。また、特許文献２を参照すると、携帯電話機において、所定の状況下において（例えば、通話終了時点において）、未読メールが存在すると、ユーザに対して、その旨を表示器に表示して報知するという技術が開示されている。
【０００４】
【特許文献１】特開２０００−１８１８１８号公報
【特許文献２】特開２０００−２１７１５４号公報
【発明の開示】
【発明が解決しようとする課題】
【０００５】
上述した特許文献１，２の技術においては、不定期に配信されたショートメッセージまたはメール受信において、その後に音声着信との関連付けられた通報がなされていないので、その直前に受信していたショートメッセージまたはメール受信の重要性がユーザに促すことができない。
【０００６】
また、不定期に音声着信が発生する場合において、音声着信に未応答で気づかないことになってしまう。また、その後にメール着信との関連付けられた通報がされていないので、音声着信の重要性をユーザに促すことができないことがある。
【０００７】
本発明の目的は、ユーザへの未読のメッセージの存在を気づかせること、また受信メッセージに対する返信が実行されていないことを気づかせることを可能とした無線通信端末及びメッセージ通知方法並びにプログラムを提供することである。
【０００８】
本発明の他の目的は、ショートメッセージまたは受信メールとの音声着信との関連付けた報知方法で通報することにより、操作性の向上を計ることを可能とした無線通信端末及びメッセージ通知方法並びにプログラムを提供することである。
【０００９】
本発明の更に他の目的は、ユーザに未応答の音声着信の存在を気づかせること、また音声着信とショートメッセージまたは受信メール着信との関連付けた報知方法で通報することにより、操作性の向上を計ることを可能とした無線通信端末及びメッセージ通知方法並びにプログラムを提供することである。
【課題を解決するための手段】
【００１０】
本発明による無線通信端末は、文字メッセージを送受信可能な無線通信端末であって、音声着信に応答して、前記音声着信の送信元に関連する未読または未返信の文字メッセージが存在する場合、前記未読文字メッセージの存在を報知する報知制御手段を含むことを特徴とする。
【００１１】
本発明による他の無線通信端末は、文字メッセージを送受信可能な無線通信端末であって、文字メッセージ着信に応答して、前記文字メッセージの送信元に関連する音声着信未応答状態の不在着信が存在する場合、前記音声着信未応答状態の不在着信の存在を報知する報知制御手段を含むことを特徴とする。
【００１２】
本発明によるメッセージ通知方法は、文字メッセージを送受信可能な無線通信端末における報知方法であって、音声着信に応答して、前記音声着信の送信元に関連する未読または未返信の文字メッセージが存在する場合、前記未読文字メッセージの存在を報知する報知制御ステップを含むことを特徴とする。
【００１３】
本発明による他のメッセージ通知方法は、文字メッセージを送受信可能な無線通信端末における報知方法であって、文字メッセージ着信に応答して、前記文字メッセージの送信元に関連する音声着信未応答状態の不在着信が存在する場合、前記音声着信未応答状態の不在着信の存在を報知する報知制御ステップを含むことを特徴とする。
【００１４】
本発明によるプログラムは、文字メッセージを送受信可能な無線通信端末におけるメッセージ通知方法をコンピュータにより実行させるためのプログラムであって、音声着信に応答して、前記音声着信の送信元に関連する未読または未返信の文字メッセージが存在する場合、前記未読文字メッセージの存在を報知する報知制御処理を含むことを特徴とする。
【００１５】
本発明による他のプログラムは、文字メッセージを送受信可能な無線通信端末におけるメッセージ通知方法をコンピュータにより実行させるためのプログラムであって、文字メッセージ着信に応答して、前記文字メッセージの送信元に関連する音声着信未応答状態の不在着信が存在する場合、前記音声着信未応答状態の不在着信の存在を報知する報知制御処理を含むことを特徴とする。
【００１６】
本発明の作用を述べる。無線通信機能を用いて短い文字メッセージを送受信できるショートメッセージサービスあるいは電子メールを送受信可能な無線通信端末において、未読のショートメッセージまたは受信メールが存在する状態で、呼び出し着信が発生した場合、その未読のショートメッセージあるいは受信メールのメールアドレスに関する情報に関連付けされた各無線通信端末に割り当てられた固有の識別番号情報（例えば、携帯電話の呼び出し電話番号等）とその着信の発信元の呼び出し識別番号通知情報（例えば、携帯電話の呼び出し電話番号等）とが一致した場合に、ユーザにその旨を通報する。このとき、通常着信の報知パターンとは異なる別の報知パターンでユーザに報知することにより、その未読メールに関連した発信者からの着信を促すことができると共に、該当する未読メールをユーザに対してメール通知内容を認識させることができる。
【発明の効果】
【００１７】
本発明によれば、未読ショートメッセージまたは未読受信メールに関連した呼び出し着信の報知を、ユーザに対してなすことより、ユーザへの未読メッセージに対して気づかせることができるという効果がある。また、本発明によれば、音声着信が未応答の不在着信状態でショートメッセージまたは電子メールが存在する場合にも、その旨を報知することより、ユーザに該当する不在着信の存在を気付かせることが可能になるという効果がある。
【発明を実施するための最良の形態】
【００１８】
以下に、図面を参照しつつ本発明の実施の形態について説明する。図１は本発明の実施の形態の機能ブロック図である。図１を参照すると、本無線通信端末は、主制御部１０５を搭載しており、装置内の各部を制御管理している。このうちプログラムＲＯＭ１１１は、主制御部１０５が実行するための各種の制御用プログラムや仮名文字変換等に使用される辞書等の固定的なデータを格納したリードオンリメモリである。
【００１９】
無線送受信部１０１は受信する無線信号を復変調し、図示せぬ基地局からの無線信号に従った送受信動作を行っている。無縁データ制御部１０２は、予め登録された自己の無線情報に従い、無線送信するための音声データとショートメッセージデータ、電子メールデータを、主制御部１０５から受け取り生成して無線送受信部１０１に送出すると共に、無線を介して受信したデータのデコードを行い、音声データ、ショートメッセージデータ、電子メールデータを取り出し、主制御部１０５にデータを与える。
【００２０】
表示部１０３は主制御部１０５の指定データを表示する手段である。この表示部１０３には、音声着信を通知する動作や格納していた受信したメール内容の表示、電子メールの編集、送信等の一連の処理が実行された場合に、それを告知する表示手段を有している。報知部１０４は、この無線通信端末を呼び出し着信またはショートメッセージサービスや電子メールの受信が発生した場合に、一連の通報手段の総称であり、人間の視覚、聴覚、触覚などに訴えるのであれば良く、例えば、鳴音するためのスピーカや振動にて知らせるバイブレータ、可視光で知らせる発光ダイオードなどである。
【００２１】
主制御部１０５は、プログラムＲＯＭ１１１に記述されたプログラム内容に従って本無線通信端末全体を制御し、音声通話やショートメッセージサービスデータ、電子メールデータの送受信動作を管理および制御している。電子メールデータ全般の管理を電子メールデータ格納部１０８に対して実行して各メールデータの属性として未読状態かどうかの管理を指定する。そして、主制御部１０５は、本無線通信端末に対して呼び出し着信が発生して、相手の発信者識別番号が電話帳および電子メールアドレス格納部１１０に登録されているかどうかの判定を実行し相手を特定する。
【００２２】
受話部１０６は音声通話時のスピーカであり、送話部１０７は音声マイクを内蔵している。電子メールデータ格納部１０８は、ショートメッセージサービスや電子メール送受信に関するデータを主制御部１０５から与えられてデータを格納している。本発明の電子メールに関連するメールメッセージのフィールドデータの情報として、未読既読情報の属性、日付、時刻、電子メール表題、本文等を保存している格納部である。
【００２３】
操作入力部１０９は、ユーザからの基本操作入力を行い、入力情報を主制御部１０５に転送する。電話帳および電子メールアドレス格納部１１０は、ユーザが登録した氏名、電話番号、電子メールアドレス等の個人情報を保存している格納部である。この電話帳および電子メールアドレス格納部１１０に予めユーザによって登録されている電話番号データは、音声着信が発生して相手の発信者識別番号との照合に、またショートメッセージサービス、電子メールのメール受信時、アドレスデータ照合に使用することになる。
【００２４】
この電話帳および電子メールアドレス格納部１１０にデータを入力する方法は、操作入力部１１０から主制御部１０４を介して行われる。時計機能部１１２は、日付と時刻を更新している時計である。
【００２５】
次に、図１に示した無線通信端末の動作を、図２に示すフローチャートを使用して説明する。図２において、本無線通信端末を呼び出し着信の形態については、音声通話の着信の例で説明する。従って、本無線通信端末に対する呼び出し着信で通知される識別番号情報は、携帯電話の電話番号の場合を想定している。待機状態（ステップ２００）から、主制御部１０５の制御に従い、でこの無線通信端末を呼び出し着信が発生したかどうかを確認しながら待機している（ステップ２０１）。
【００２６】
ここで、音声通話着信を認識した場合には、主制御部１０５は、無線データ制御部１０２からのデータについて、音声着信の電話番号通知情報が電話帳および電子メールアドレス格納部１１０に、電話番号情報として格納済みかどうかの判定を行う（ステップ２０２）。電話帳および電子メールアドレス格納部１１０に電話番号情報として格納されていない場合は、主制御部１０５は報知部１０４に対して通常モード着信通報処理を実行し（ステップ２０６）、通常報知パターンで通報し、待機状態（ステップ２００）へ遷移する。
【００２７】
ステップ２０２にて登録済みの電話番号通知情報の音声着信と判断した場合は、主制御部１０５は電子メールデータ格納部１０８に受信したショートメッセージサービスのメールあるいは電子メール内にユーザがメール内容を確認していない未読メールがあるかどうか確認する（ステップ２０３）。未読メールがない場合は、主制御部１０５は報知部１０４に対して通常モード着信通報処理（ステップ２０６）を実行し、通常報知パターンで通報し、待機状態（ステップ２００）へ遷移する。
【００２８】
ステップ２０３で、未読メールがある場合は、主制御部１０５は電子メールデータ格納部１０８保存されているメールデータの属性において、受信したショートメッセージサービスのメールあるいは電子メールの未読メールにおけるそのメール情報のアドレス情報に関して、音声着信の電話番号情報と一致しているかどうかの判定を実行する（ステップ２０４）。この判定において、電話番号情報が一致しない場合は、主制御部１０５は報知部１０４に対して通常モード着信通報処理（ステップ２０６）を実行し、通常報知パターンで通報し、待機状態（ステップ２００）へ遷移する。
【００２９】
ステップ２０４の判定処理条件に適合した場合、未読ショートメッセージまたは受信メールに関連した音声着信の報知として、主制御部１０５は報知部１０４に対して未読メール報知着信通報処理（ステップ２０５）を実行することで、通常報知パターンとは相違させた別の報知パターンで通報し、待機状態（ステップ２００）へ遷移する。
【００３０】
また、ステップ２０６の通常モード着信通報処理における報知パターンと、ステップ２０５の未読メール報知着信通報処理報知パターンとは、報知部１０４内に具備された、例えば、鳴音用のスピーカ、振動等で通知するバイブレータ、可視光で知らせる発光ダイオード等で報知する組み合わせにより、その報知するパターンをユーザが設定可能なものとする。その設定内容は、主制御部１０５にて、報知部１０４に対して実行される。
【００３１】
例えば、通常モード着信通報処理（ステップ２０６）の通常報知パターンは、ビープ音にて一定音量の設定とした場合は、未読メール報知着信通報処理（ステップ２０５）の報知パターンは、バイブレータを起動し、音量を段階的に音色、音量を変化させたりするように予め、ユーザが設定し、主制御部１０５から報知部１０４に対して実行される。
【００３２】
ここで、ユーザの設定により選択する付加機能として、未読メール報知着信通報処理（ステップ２０５）においては、報知パターンで通報すると共に、未読メールの内容に関する部分について表示部１０３に表示するか否かを設定できるものとする。該当未読メールに関する情報を表示する場合には、以下なような表示形態が想定できる。
【００３３】
先ず、該当未読属性のメール表題を表示することを可能とする。その該当未読属性の表題とそのメール本文を含め内容表示をすることが可能であるものとする。あるいは、該当する未読属性メールが複数件存在する場合は、その該当する未読属性メールの件数表示と共に各々の全ての表題を時系列で表示することが可能であるものとする。または、その未読属性メールの件数と共に各々の全ての表題とそのメール本文を表示することを可能とする。
【００３４】
図３は電子メールデータ格納部１１０の格納状態を示す保存の属性状況の一例を示す図である。この場合は、一件毎の電子メールデータについて、受信メールＮｏ．、未読・既読の属性、メール受信日時、メール送信者、表題、メール本文を保存しているものを想定している。
【００３５】
図４は電話帳および電子メールアドレス格納部１１０の格納状況を示すデータ構成例である。予め、主制御部１０５は操作入力部１０９からの情報によって、この例の場合に、一件毎のデータで登録Ｎｏ．、名前、電話番号、Ｅ−ｍａｉｌアドレス、補足情報を保存しているものを想定している。
【００３６】
上記した図３の状態においては、未読メールがあるので、この未読メールの発信者「佐藤  一郎  ０９０−０１２０−００００」から音声着信があった場合に、本発明の未読メール報知着信通報処理（ステップ２０５）を実行することになる。なお、図２の判定処理（ステップ２０４）に適合し未読メール報知着信通報処理（ステップ２０５）を実行する条件として、未読メールが電子メールデータ格納部１０８に存在すれば無条件で実行することを想定していた。ここで、この無線通信端末に対する設定状態を設けて、電子メールデータ格納部１０８に保存されている受信メールの中で最新受信メールに限定して未読である場合に、未読メール報知着信通報処理（ステップ２０５）を実行することを可能とすることも想定できる。
【００３７】
なお、図２の判定処理（ステップ２０４）に適合し未読メール報知着信通報処理（ステップ２０５）を実行する条件として、電子メールデータ格納部１０８保存されている受信メールの中で最新受信メールに限定して未読であるか否かが想定できるが、この限定した条件の場合は、メールを送信した発信当事者が確実にメールが届いてメール内容まで確認したかを即時に確認することにより、該当の無線通信端末ユーザにとっては、速報性、重要性のメールを対象で認知させるという利点がある。
【００３８】
また、図２の判定処理（ステップ２０４）の適合条件で、上述の最新受信メールに限定せずに、該当する未読メールを対象とした場合には、過去の無線通信端末ユーザが未確認メールの存在を再認識させることで、ユーザが忘れていた受信メールを未確認状態からメール内容を確認することが可能となる。
【００３９】
本発明の他の実施の形態として、その基本的構成は上記の通りであるが、無線通信端末において、未読のショートメッセージまたは受信メールが存在する状態で、音声着信が発生し、該当の未読メール受信を受信後の所定時間以内の場合について、その該当の未読のショートメッセージまたは受信メールに関する情報に関連付けされた携帯電話番号情報と、その音声着信の電話番号通知情報とが一致した場合に、音声着信の報知パターンについて工夫してユーザに通知している。
【００４０】
その構成は図１と同様の構成であるが、図３の電子メールデータ格納部１１０の格納状態において、ショートメッセージまたは受信メールの受信時刻が管理されている。図３の状況で、メール受信時刻の属性の情報と現在時刻において、予めユーザが設定したメール受信後の所定時間であるかどうかを主制御部１０５で判定して、その時間以内に無線送受信部１０１および無線データ制御部１０２を介して音声着信が発生したことを主制御部１０５で検出した場合に、音声着信の電話番号通知情報と、電話帳および電子メールアドレス格納部１１０に格納している情報とを判別比較して、この未読のショートメッセージサービスのメールあるいは電子メールに該当する同一情報が存在する場合に、主制御部１０５は報知部１０４に指示する報知音の設定を、通常設定されている報知パターンとは別の報知パターンで通報するように制御をなすようにしたものである。
【００４１】
この予めユーザが設定したメール受信後の所定時間以内であるかどうかということは、メール送信を実行し、かつ所定時間以内にそのメール送信者から音声着信が発生したことは、緊急性の高いものを特定するものである連絡事項が、当該者から発せられたことを示すものとして、優先的に認めることができる。
【００４２】
本例での無線通信端末の動作を、図５に示すフローチャートを使用して説明する。図５において、待機状態（ステップ５００）から、主制御部１０５の制御に従い、音声通話着信が発生したかどうかを確認しながら待機している（ステップ５０１）。ここで、音声通話着信を認識した場合、主制御部１０５は無線データ制御部１０２からのデータについて、音声着信の電話番号通知情報が電話帳および電子メールアドレス格納部１１０に電話番号情報として格納済みかどうかの判定を行う（ステップ５０２）。電話帳および電子メールアドレス格納部１１０に電話番号情報として格納されていない場合は、主制御部１０５は報知部１０４に対して通常モード着信通報処理（ステップ５０７）を実行し、通常報知パターンで通報し、待機状態（ステップ５００）へ遷移する。
【００４３】
このステップ５０２にて、登録済みの電話番号通知情報の音声着信と判断した場合は、主制御部１０５は電子メールデータ格納部１０８に受信したショートメッセージサービスのメールあるいは電子メール内にユーザがメール内容を確認していない未読メールがあるかどうか確認する（ステップ５０３）。未読メールがない場合は、主制御部１０５は報知部１０４に対して通常モード着信通報処理（ステップ５０７）を実行し、通常報知パターンで通報し、待機状態（ステップ５００）へ遷移する。
【００４４】
このステップ５０３にて未読メールがある場合には、主制御部１０５は電子メールデータ格納部１０８保存されているメールデータの属性において、受信したショートメッセージサービスのメールあるいは電子メールの未読メールにおけるそのメール情報のアドレス情報に関して、音声着信の電話番号情報と一致しているかどうかの判定を実行する（ステップ５０４）。このステップ５０４の判定にて、電話番号情報が一致しない場合は、主制御部１０５は報知部１０４に対して通常モード着信通報処理（ステップ５０７）を実行し、通常報知パターンで通報し、待機状態（ステップ５００）へ遷移する。
【００４５】
このステップ５０３にて未読メールがある場合は、受信したショートメッセージサービスのメールあるいは電子メールの未読メールにおいて、そのメール情報のアドレス情報に関して、音声着信の電話番号情報と一致している場合は（ステップ５０４）、予めユーザが設定したメール受信後の所定時間以内かどうかどうかの判定を実行する（ステップ５０５）。
【００４６】
このステップ５０５の判定において、所定時間を超えている場合は、主制御部１０５は報知部１０４に対して通常モード着信通報処理（ステップ５０７）を実行し、通常報知パターンで通報し、待機状態（ステップ５００）へ遷移する。
【００４７】
判定処理（ステップ５０５）の条件に適合した場合、未読ショートメッセージまたは受信メールに関連した音声着信の報知として、主制御部１０５は報知部１０４に対して未読メール報知着信通報処理（ステップ５０６）を実行することにより、通常報知パターンとは相違させた別の報知パターンで通報し、待機状態（ステップ５００）へ遷移する。
【００４８】
本発明の更に他の実施の形態として、受信したショートメッセージサービスのメールあるいは電子メールにおいて、受信メールに対してユーザがそのメールの返信していない状態で、その該当の電子メールに関する情報に関連付けされた携帯電話番号情報とその音声着信の電話番号通知情報とが一致した場合に、音声着信の報知パターンについて工夫している。
【００４９】
その構成は図１と同様の構成であるが、図６に図３の電子メールデータ格納部１１０の格納状態において、各受信メール毎に返信済みか否かの属性を追加したものとして属性状況の一実施例を示している。本図の状況で、無線通信端末において、受信したショートメッセージサービスのメールあるいは電子メールにおいて、ユーザが受信メールに対してユーザが返信したかどうかの属性を電子メールデータ格納部１０８に保存し、主制御部１０５は無線送受信部１０１および無線データ制御部１０２を介して音声着信が発生したことを、主制御部１０５で検出した場合に、音声着信の電話番号通知情報と、電話帳および電子メールアドレス格納部１１０に格納している情報とを判別比較して、この既読で未返信のショートメッセージサービスのメールあるいは電子メールに該当する同一情報が存在する場合に、主制御部１０５は報知部１０４に指示する報知音の設定を通常設定されている報知パターン音を、別のパターン音で通報するように制御を具備したことである。
【００５０】
従って、図６は、電子メールデータ格納部１１０の格納状態を示す保存の属性状況の他の例を示している。この場合は、一件毎の電子メールデータについて、受信メールＮｏ．、未読・既読の属性、送信者への返信済・未返信の属性、メール受信日時、メール送信者、表題、メール本文を保存しているものを想定している。
【００５１】
本発明の上述の他の実施例での無線通信端末の動作を図７に示すフローチャートを使用して説明する。図７において、待機状態（ステップ７００）から、主制御部１０５の制御に従い、音声通話着信が発生したかどうかを確認しながら待機している（ステップ７０１）。ここで、音声通話着信を認識した場合、主制御部１０５は無線データ制御部１０２からのデータについて、音声着信の電話番号通知情報が電話帳および電子メールアドレス格納部１１０に電話番号情報として格納済みかどうかの判定を行う（ステップ７０２）。
【００５２】
電話帳および電子メールアドレス格納部１１０に電話番号情報として格納されていない場合は、主制御部１０５は、報知部１０４に対して通常モード着信通報処理（ステップ７０６）を実行し、通常報知パターンで通報し、待機状態（ステップ７００）へ遷移する。
【００５３】
ステップ７０２にて登録済みの電話番号通知情報の音声着信と判断した場合は、電子メールデータ格納部１０８に受信したショートメッセージサービスのメールあるいは電子メールデータの属性において、全ての受信したメールが送信者へ返信済みかどうかの判定を行う（ステップ７０３）。受信メールが返信済みの場合には、主制御部１０５は報知部１０４に対して通常モード着信通報処理（ステップ７０６）を実行し、通常報知パターンで通報し、待機状態（ステップ７００）へ遷移する。
【００５４】
ステップ７０３において、受信したメールにおいて送信者へ未返信のものがあると判断した場合は、主制御部１０５は電子メールデータ格納部１０８保存されている受信メールデータの属性において、未返信の受信したショートメッセージサービスのメールあるいは電子メールのメールにおけるそのメール情報のアドレス情報に関して、音声着信の電話番号情報と一致しているかどうかの判定を実行する（ステップ７０４）。
【００５５】
このステップ７０４の判定において、電話番号情報が一致しない場合は、主制御部１０５は報知部１０４に対して通常モード着信通報処理（ステップ７０６）を実行し、通常報知パターンで通報し、待機状態（ステップ７００）へ遷移する。
【００５６】
ステップ７０４の判定処理の条件に適合した場合、受信メールで未返信であることを告知するために、音声着信の報知として、主制御部１０５は報知部１０４に対して受信メール未返信着信通報処理（ステップ７０５）を実行することにより、通常報知パターンとは相違させた別の報知パターンで通報し、待機状態（ステップ７００）へ遷移する。
【００５７】
図６の状態にて、未返信メールがあるので、このメールの送信者「佐藤  一郎  ０９０−０１２０−００００」から音声着信があった場合に、本発明の受信メール未返信着信通報処理（ステップ７０５）を実行することになる。
【００５８】
本発明の別の実施の形態として、基本的構成を図８に示している。無線通信端末にて、音声応答が未応答の不在着信状態において、ショートメッセージまたは受信メールが発生した場合に、その該当の不在着信の電話番号情報に関連付けされたショートメッセージまたは受信メールのアドレス情報と、発生したメール受信のアドレス関連情報とが一致した場合に、ショートメッセージ通知あるいはメール受信通知の報知パターンについて工夫してユーザに通知している。
【００５９】
図８の構成においては、図１の構成に電話音声による着信が発生した場合に、ユーザがその音声着信に応答したかどうかの履歴を管理する音声着信履歴データ格納部１１３を追加で具備した例となっている。他の構成は図１の構成と同一であり、同等部分は同一符号により示している。
【００６０】
ここで、音声着信が未応答の不在着信状態において、音声着信履歴データ格納部１１３に認識された状態で、無線送受信部１０１および無線データ制御部１０２を介してショートメッセージまたは受信メールが発生したことを主制御部１０５で検出した場合、主制御部１０５は、その該当の不在着信の電話番号情報が電話帳および電子メールアドレス格納部１１０に関連付けられショートメッセージまたは受信メールのアドレス情報と、当該のメール着信におけるメール受信アドレス関連情報とを判定比較して、同一情報の場合に、報知部１０４に指示する報知音の設定を、通常のメール着信の報知パターンを別の報知パターンで通報するように制御するようになっている。
【００６１】
次に、図８の無線通信端末の動作を、図９に示すフローチャートを使用して説明する。図９において、待機状態（ステップ９００）から、主制御部１０５の制御に従い、メール着信が発生したかどうかを確認しながら待機している（ステップ９０１）。ここで、メール着信を認識した場合、主制御部１０５は、無線データ制御部１０２からのデータについて、メール着信のメールアドレス情報が電話帳および電子メールアドレス格納部１１０にメールアドレス情報として格納済みかどうかの判定を行う（ステップ９０２）。
【００６２】
電話帳および電子メールアドレス格納部１１０にメールアドレス情報として格納されていない場合は、主制御部１０５は報知部１０４に対して通常モードメール着信通報処理（ステップ９０６）を実行し、通常のメール着信報知パターンで通報し、待機状態（ステップ９００）へ遷移する。
【００６３】
ステップ９０２において登録済みのメールアドレス情報のメール着信と判断した場合は、主制御部１０５は、音声着信履歴データ格納部１１３にユーザが音声着信に応答できなかった不在着信が音声着信履歴上にあるかどうか確認する（ステップ９０３）。音声着信において未応答の不在着信が履歴上にない場合は、主制御部１０５は報知部１０４に対して通常モードメール着信通報処理（ステップ９０６）を実行し、通常のメール着信報知パターンで通報し、待機状態（ステップ９００）へ遷移する。
【００６４】
ステップ９０３において音声着信において未応答の不在着信が履歴上にある場合は、主制御部１０５は、音声着信履歴データ格納部１１３に保存されている音声着信履歴データの属性において、未応答の不在着信の電話番号情報と、その電話番号情報に関連付けたメールアドレス情報、発生したメール着信のメールアドレス情報と一致しているかどうかの判定を実行する（ステップ９０４）。
【００６５】
このステップ９０４の判定において、当該のメールアドレス情報が一致しない場合は、主制御部１０５は報知部１０４に対して通常モードメール着信通報処理（ステップ９０６）を実行し、通常報知パターンで通報し、待機状態（ステップ９００）へ遷移する。
【００６６】
判定処理（ステップ９０４）の条件に適合した場合、音声着信に応答できなかった不在着信に関連したメール着信の報知音として、主制御部１０５は報知部１０４に対して、未応答不在着信へのメール着信通報処理（ステップ９０５）を実行することにより、通常報知パターンとは相違させた別の報知パターンで通報し、待機状態（ステップ９００）へ遷移する。
【００６７】
図１０は、音声着信履歴データ格納部１１３の格納状態を示す保存の属性状況の一例を示す図である。この場合は、一件毎の音声履歴データについて、着信履歴順Ｎｏ．、未応答・応答済みの属性、音声着信日時、着信電話番号情報、電話帳登録関連情報を保存しているものを想定している。
【００６８】
図４と図１０の状態において、未応答の不在着信があり、この未応答の不在着信の発信者「鈴木  太郎  ０９０−９９９９−１１１１」からメール着信（ｓｕｚｕｋｉ＠ａａａ．ｃｏ．ｊｐ）があった場合に、上述の未応答不在着信へのメール着信通報処理（ステップ９０５）を実行することになる。
【００６９】
なお、この場合も、図２の実施フローチャートの状況と同様に、図９の判定処理（ステップ９０４）に適合し、未応答不在着信へのメール着信通報処理（ステップ９０５）を実行する条件として、音声着信に応答できなかった不在着信が音声着信履歴データ格納部１１３に存在すれば、無条件で実行することを想定していた。ここで、この無線通信端末に対する設定状態を設けて、保存されている音声着信に応答できなかった不在着信の中で最新に限定し、未応答である場合に、未応答不在着信へのメール着信通報処理（ステップ９０５）を実行することを可能とすることも想定できる。
【００７０】
また、上述のこれらの実施の形態では、音声着信の場合について、無線通信端末おける呼び出し着信条件を想定しているが、音声着信以外で無線通信端末のネットワークを介して呼び出し着信をさせる手段のもの、例えば文字ベースの会話を行なうシステムの呼び出し着信として、チャット機能付きの無線通信端末においても、本発明の適応範囲である。また、上記実施の形態においては、無線通信端末として一般的な表現をしているが、携帯電話機、ＰＨＳ、通信機能を有するＰＤＡやモバイルパーソナルコンピュータなどの装置にも同様に適用可能である。
【図面の簡単な説明】
【００７１】
【図１】本発明の実施の形態に用いる機能ブロック図の例である。
【図２】本発明の一実施の形態の動作フロー図である。
【図３】電子メールデータ格納部の保存属性状況の一例を示す図である。
【図４】電話帳および電子メールアドレス格納部の格納状況の例を示す図である。
【図５】本発明の他の実施の形態の動作フロー図である。
【図６】電子メールデータ格納部の保存属性状況の他の例を示す図である。
【図７】本発明の更に他の実施の形態の動作フロー図である。
【図８】本発明の実施の形態に用いる機能ブロック図の他の例である。
【図９】本発明の別の実施の形態の動作フロー図である。
【図１０】音声着信履歴データ格納部の保存属性状況を示す図である。
【符号の説明】
【００７２】
１０１  無線送受信部
１０２  無線データ制御部
１０３  表示部
１０４  報知部
１０５  主制御部
１０６  受話部
１０７  送話部
１０８  電子メールデータ格納部
１０９  操作入力部
１１０  電話帳および電子メールアドレス格納部
１１１  プログラムＲＯＭ
１１２  時計機能部
１１３  音声着信履歴データ格納部
【図１】
2006148725.tif 000003
【図２】
2006148725.tif 000004
【図３】
2006148725.tif 000005
【図４】
2006148725.tif 000006
【図５】
2006148725.tif 000007
【図６】
2006148725.tif 000008
【図７】
2006148725.tif 000009
【図８】
2006148725.tif 000010
【図９】
2006148725.tif 000011
【図１０】
2006148725.tif 000012